Podtech/llm-jp-corpus-v4-ja_patent huggingface dataset:
(57)【要約】【課題】  本考案は、外出および帰宅時の履物の脱ぎ、履きを安易にし玄関ホールとの段差を少なくすることで転倒などの事故防止にもなる。【解決手段】  本考案は、移動可能な踏み台▲イ▼に折りたたみ椅子▲ロ▼を差し込み一体化し、▲Ｄ▼を倒すことで椅子として使用できるようにした。腰かけることで、特に身体障害者、高齢者、妊婦などの履物の脱ぎ、履きが安易になると同時に、▲イ▼に高さをつけることにより玄関ホール框との段差を少なくし、転倒事故等の防止に役立つ。【選択図】  図２
0003113791.tif 000002
【実用新案登録請求の範囲】
【請求項１】
玄関踏み台に折りたたみ椅子を差し込み一体化し、腰かけ板を倒して使用する、折りたたみ椅子付き玄関踏み台。
【考案の詳細な説明】
【技術分野】
【０００１】  本考案は、玄関踏み台と折りたたみ椅子を一体化させた、家具に関するものである。
【背景技術】
【０００２】  玄関で履物を脱ぎ、履きする時に使用する椅子のようなものはあるのだが、それらは壁に固定されたものしかなく移動ができないため、固定された場所まで行き使用していた。
【考案の開示】
【考案が解決しようとする課題】
【０００３】  固定された場所まで行き腰かけるのは、健常者であれば特に問題はないのだが、身体障害者、高齢者、妊婦などは、身体的、体力的に負担である。従って、持ち運びできる玄関踏み台を椅子と組み合わせて使用することで移動が可能となり、前述の欠点を解決しようとするものである。
【課題を解決するための手段】
【０００４】  本考案は、固定されていない玄関踏み台を、使用者が履物を脱ぎ、履きしたい場所に置き、玄関ホール框との段差を少なくし、踏み台に折りたたんだ椅子を差し込み、腰かけ板を倒して踏み台と椅子を一体化することにより問題を解決している。
【考案の効果】
【０００５】  上述のように、本考案の折りたたみ椅子付き玄関踏み台は、持ち運びして移動できることは勿論、腰かけ板を倒さずに立てたままで手すりとしても使用でき、更に玄関ホール框との段差を少なくしたのでつまずきや転倒などの事故防止としても役立つ。
【考案の実施するための最良の形態】
【０００６】  玄関踏み台を玄関ホール框際の土間に置き、踏み台端の差し込み穴に折りたたみ椅子を差し込み、腰かけ板を倒すことにより使用可能となる。また、腰かけ板を倒さずに椅子を立てた状態では背もたれ部分のヨコ桟が手すりとして使用できる。
【実施例】
【０００７】  以下、添付図面に従って実施例を説明する。１の▲イ▼は玄関踏み台、▲イ▼の▲Ａ▼は踏み台の床板、▲イ▼の▲Ｂ▼は折りたたみ椅子の差し込み穴、１の▲ロ▼は折りたたみ椅子、▲ロ▼の▲Ｃ▼は折りたたみ椅子のタテ桟、▲ロ▼の▲Ｄ▼は折りたたみ椅子の腰かけ板で、▲イ▼の▲Ｂ▼に▲ロ▼の▲Ｃ▼を差し込むことで踏み台と椅子が一体化し、▲ロ▼の▲Ｄ▼を倒すことで椅子として機能する。【０００８】  ２の▲ハ▼は一体化した踏み台と椅子を横から見た状態、２の▲ニ▼は一体化した踏み台と椅子を後ろから見た状態で、▲ハ▼と▲ニ▼の▲Ｅ▼で踏み台の側板に高さをつけることにより玄関ホール框との段差を少なくした。▲ニ▼の▲Ｆ▼は折りたたみ椅子のヨコ桟で、１の▲ロ▼の▲Ｄ▼を倒さずに使用する場合に手すりとして使用することができる。【０００９】  本考案の実施例は上記の如き構成からなるものであるから、玄関踏み台を段差解消のための単体品として用いることは勿論であるが、それに折りたたみ椅子を差し込んで使用することにより、玄関での履物の脱ぎ、履きが安易になる。
【図面の簡単な説明】
【００１０】
【図１】  折りたたみ椅子付き玄関踏み台の、玄関踏み台と折りたたみ椅子の各平面図である。
【図２】  本考案の折りたたみ椅子付き玄関踏み台の実施例を示す側面図および背面図である。
【図３】  折りたたみ椅子付き玄関踏み台の側面の断面図である。
【図１】
0003113791.tif 000003
【図２】
0003113791.tif 000004
【図３】
0003113791.tif 000005
(57)【要約】【課題】  フランジ部を工夫することによりフランジ部の締結物への積極的な係合を可能にし、ボルトの緩み止め効果が確実に得られるボルトの提供。【解決手段】  外周にセレーション１１を有する頭部１２と頭部１２下面から下方に延びるねじ部１３とを備えたボルトであって、頭部１２の下部にセレーション１１に連続するフランジ部１５を設けると共に、フランジ部１５の外周に多数の円弧状膨出部１６…１６を半径方向外方でやや下向きに突設したこと。【選択図】  図３
0003113797.tif 000002
【実用新案登録請求の範囲】
【請求項１】
外周にセレーションを有する頭部と頭部下面から下方に延びるねじ部とを備えたボルトであって、頭部の下部にセレーションに連続するフランジ部を設けると共に、フランジ部の外周に多数の円弧状膨出部を半径方向外方でやや下向きに突設したことを特徴とするボルト。
【請求項２】
頭部は１２ポイントのセレーションを有し、フランジ部の外周に、セレーションの各谷部に対応する１２個の円弧状膨出部を周方向で連設したことを特徴とする請求項１に記載のボルト。
【考案の詳細な説明】
【技術分野】
【０００１】  本考案は、外周にセレーションを有する頭部と頭部下面から下方に延びるねじ部とを備えたボルトに関する。
【背景技術】
【０００２】  従来、この種のボルトとしては、例えば図５に示すように外周にセレーション４１を有するフランジ部４２付き頭部４３と頭部４３下面から下方に延びるねじ部４４とを備えた構成となっている。そして、このボルト４は主として鍛造加工により製作されている。
【考案の開示】
【考案が解決しようとする課題】
【０００３】  ところで、上記した形状のボルト４を鍛造加工により製作した場合、フランジ部４２は底面が扁平で円形状を呈している。そのため、ボルト４の締め込み時フランジ部４２を締結物に単に押し付け、その圧接抵抗だけで緩み止めを行う構造となっている。しかし、このように扁平フランジ部４２の締結物への単なる押し付による緩み防止構造では、振動や何らかの外力がかかった場合に緩みが発生し易いものであった。【０００４】  そこで、本考案はボルトにおけるフランジ部を工夫することによりフランジ部の締結物への積極的な係合を可能にし、ボルトの緩み止め効果が確実に得られるボルトの提供を課題とする。
【課題を解決するための手段】
【０００５】  上記した問題を解決するために、本願の請求項１に記載の考案は、外周にセレーションを有する頭部と頭部下面から下方に延びるねじ部とを備えたボルトであって、頭部の下部にセレーションに連続するフランジ部を設けると共に、フランジ部の外周に多数の円弧状膨出部を半径方向外方でやや下向きに突設したことを特徴とする。【０００６】  また、請求項２に記載の考案は、頭部は１２ポイントのセレーションを有し、フランジ部の外周に、セレーションの各谷部に対応する１２個の円弧状膨出部を周方向で連設したことを特徴とする。
【考案の効果】
【０００７】  本考案のボルトによれば、フランジ部の外周に多数の円弧状膨出部を半径方向外方でやや下向きに突設したから、ボルトの締め付け時、円弧状膨出部の反力を利用して強固な緩み止め効果が得られる。また、締結物側に予め円弧状膨出部と対応する位置に下穴を形成しておけば、円弧状膨出部の下穴への係合によってもボルトの回り止め効果を積極的に発揮することができ、信頼度の高い締結を得ることができる。【０００８】  また、頭部が１２ポイントのセレーションを有し、フランジ部の外周に、セレーションの各谷部に対応して１２個の円弧状膨出部を周方向で連設するようにすれば、上記した緩み止め効果に加えてを頭部に１２ポイントのセレーションを有するボルトを鍛造加工する際に容易に成形加工することができる。
【考案を実施するための最良の形態】
【０００９】  以下、本考案の実施の形態を図に基づいて説明する。
図１、２は本考案のボルトを示すもので、このボルト１は外周に１２ポイントのセレーション１１を有する頭部１２と頭部１２下面から下方に延びるねじ部１３とを備えている。そして、頭部１２の上部中央には断面多角の係合穴部１４を有すると共に、頭部１２の下部にセレーション１１に連続するフランジ部１５を設けると共に、フランジ部１５の外周に、セレーション１１の各谷部に対応して１２個の円弧状膨出部１６…１６を周方向で連設している。多数の円弧状膨出部１６…１６を半径方向外方でやや下向きに突設したものである。【００１０】  このフランジ部１５に多数の円弧状膨出部１６…１６をもつボルト１は鍛造加工により成形する。その際、１２ポイントのセレーション１１の各谷部に対応して１２個の円弧状膨出部１６…１６を周方向で連設するようにすれば、１２ポイントのセレーションを成形する際に下方に押し出された余分な肉で円弧状膨出部１６を容易にかつ有効に成形することができる。【００１１】  また、図３、４において、２はねじ孔２１が形成されたベース部材、３はフランジ付きボルトの挿通孔３１と、下穴３２，３２を有する締結物である。なお、下穴３２はたとえばドリルなどの先で少し削ることにより形成すればよい。【００１２】  次に、上記したボルト１の作用について説明する。
まず、図３に示すように、ベース部材２のねじ孔２１に締結物３の挿通孔３１を位置合わせした状態のもとでボルト１のねじ部１３を挿通孔３１からねじ孔２１に差し込み、ねじ締め用治具（図示せず）を用いてボルト１を回転させる。これによりボルト１のねじ部１３をねじ孔２１にねじ込んで締結物３をベース部材２に締結させる。【００１３】  その場合、フランジ部１５の外周に多数の円弧状膨出部１６…１６を半径方向外方でやや下向きに突設しているから、ボルト１の締め付け時、円弧状膨出部１６…１６の反力により強固な緩み止めが得られる。さらに、締結物３側に円弧状膨出部１６…１６と対向する位置に下穴３３，３２を形成しているので、一部の円弧状膨出部１６，１６の下穴３２，３２への係合によってボルト１の回り止め、つまり緩み止め効果を積極的に発揮することができ、より信頼度の高い締結を得ることができる。【００１４】  また、上記した実施の形態では、締結物３の挿通孔３１周りに円形の凹みからなる円形の下穴１４ａをドリルにより形成したけれども、例えば長孔や凹溝であってもよい。
【図面の簡単な説明】
【００１５】
【図１】  本考案に係るボルトの縦断面図である。
【図２】  同平面図である。
【図３】  使用状態を示す縦断面図である。
【図４】  締結物の平面図である。
【図５】  従来の説明図である。
【符号の説明】
【００１６】  １          ボルト
１１        セレーション
１２        頭部
１３        ねじ部
１５        フランジ部
１６        円弧状膨出部
【図１】
0003113797.tif 000003
【図２】
0003113797.tif 000004
【図３】
0003113797.tif 000005
【図４】
0003113797.tif 000006
【図５】
0003113797.tif 000007
(57)【要約】      （修正有）【課題】球状詰物を固定して鼻腔内に挿入できるよう軟質弾力性物質を成形した鼻腔内挿入治具の提供。【解決手段】シリコンゴム、ポリエステル、生ゴム等の軟質弾力性物質で形成された鼻腔内挿入器具によって鼻腔内にスポンジ等の通気性の良い小球よりなるフイルターを保持するものである。１、２は、短円筒、３は、連結条、４、５は、抜け留め条、６、７は、スポンジ製タンポン。【選択図】図１
0003113794.tif 000002
【実用新案登録請求の範囲】
【請求項１】
１対の短円筒とその各１端を連結する連結条と各短円筒の端にこれを橋絡する方向に緩みを持って設けた抜け留め条とを軟質弾力性物質で一体に形成している鼻腔フイルター保持具。
【考案の詳細な説明】
【技術分野】
【０００１】  この発明は球状詰物を固定して鼻腔内に挿入できるよう軟質弾力性物質を成形した鼻腔内挿入治具に関するものである。
【背景技術】
【０００２】  従来鼻腔に挿入するフイルターとして例えば次の特許文献に示すものが知られている。
【特許文献１】  実用新案公開平５−５３６５８号
【特許文献２】  実用新案公開平６−６４６６０号
【特許文献３】  実用新案登録第−３０２９７８２号
【特許文献４】  実用新案登録第−３０９２７０１号
これらは左右の鼻腔に挿入するフイルター部分と鼻柱を跨いで両側のフイルター部分を結合している連結条を有している。
【考案の開示】
【考案が解決しようとする課題】
【００３】（イ）  特許文献１の器具の欠点は凸スベリ止めの隙からホコリ、菌が入り易く器具を清潔に保てず個人差のある鼻腔径及び鼻腔形状に合わす事もできない。
（ロ）  特許文献２の器具の欠点は個人差のある左右の鼻腔間隔、鼻腔形状、鼻腔左右の角度の問題を全て解決できず文献図３の部分が強く鼻下に触れ使用は不可である。
（ハ）  特許文献３の器具の欠点は、文献図２の円形では鼻腔に添わず文献図２の深さでは鼻腔内に安定しない。
（二）  特許文献４は、特許文献２と同様の欠点を有し使用不可である。
本考案は上述の技術背景に基づき老若男女が容易に使用できる器具を実現しようとするものである。
【課題を解決する為の手段】
【０００４】  本考案はシリコンゴム、ポリエステル、生ゴム等の軟質弾力性物質で形成された鼻腔内挿入器具によって鼻腔内にスポンジ等の通気性の良い小球よりなるフイルターを保持するものである。
【考案の効果】
【０００５】  本考案は上述のように構成した事により多くの効果を奏する事ができる。
（イ）柔軟性のあるシリコンゴム、生ゴム、ポリエステルを成形するため鼻腔内形状に挿入治具が添い、隙ができなくて違和感もすくない。
（ロ）球状詰物（図２）６，７は吸排気に支障の無い通気性と浸透性の良い物を使用するので呼吸も容易で滲み込んだ薬品も長時間有効である。
（ハ）花粉、埃、動物の毛、ダニ等が鼻腔内に侵入するのを効率良く防ぎ、花粉症、喘息を予防し、肺が汚れるのを防ぐ事ができる。
（ニ）吸排気に適当な抵抗を与え肺の強化訓練になる。
（ホ）鼻腔内に挿入したまま食事、会話ができる。
（ヘ）顔面に密着しないので女性の化粧にも悪影響がない。
（ト）マスクの煩わしさから開放される。
【考案を実施するための最良の形態】
【０００６】  本発明の実施について流れを説明する。
（イ）鼻腔内挿入治具（図１）の成形金型を製作する。
（ロ）鼻腔内挿入治具を製作する。
（ハ）球状詰物を発注する。
（ニ）点鼻薬は市販品を使用する。
【実施例】
【０００７】  １対の短円筒〔図１〕（ａ）１、２の１端を連結条〔図１〕（ａ）３で連結し各短円筒の両端に、これを橋絡する緩みを持って設けた抜け留め条〔図１〕（ａ）４，５とを軟質弾力性物質で一体に形成している鼻腔フイルター保持具の抜け留め条〔図１〕（ａ）４、５と〔図１〕（ａ）１、２の短円筒の間にスポンジ製小球状タンポン〔図２〕（ａ）６、７を嵌め込む。
【図面の簡単な説明】
【０００８】
【図１】本考案の実施例の未使用時を示し（ａ）は正面図、（ｂ）は平面図である。
【図２】上記実施例の使用時を示し（ａ）は正面図、（ｂ）は平面図である。
【符号の説明】
【０００９】１、２  短円筒
３、    連結条
４、５  抜け留め条
６、７  スポンジ製タンポン
【図１】
0003113794.tif 000003
【図２】
0003113794.tif 000004
(57)【要約】      （修正有）【課題】来客者に強い印象を与え個人や企業イメージを向上させることで宣伝効果が得られ、また夜間文字部分を発光させる事で見やすくなり、車にも搭載可能な発光ダイオード表札を提供する。【解決手段】表札の文字部分に１及び２の色付き発光ダイオードを使用し、７のパソコンで編集転送した文字部分を点灯や点滅、文字を左右にスライドし、昼夜問わずに個人名や企業名を宣伝することが可能である。【選択図】図２
0003113799.tif 000002
【実用新案登録請求の範囲】
【請求項１】
色付発光ダイオードの集合体により表札の文字部分が点灯、又は点滅、又は左右スライドし、パソコンを使用することで、表札の表示文字の編集作成や変更が可能な表札。
【考案の詳細な説明】
【技術分野】
【０００１】  文字部分に発光ダイオードを使用し、パソコンで文字作成や文字内容や文字大きさが任意に変更可能な表札に関するもの。
【背景技術】
【０００２】  従来の表札は金属、プラスチック、木製、石製、など表札文字の変更は不可能であり、個性的なものではなかった。
【考案の開示】
【考案が解決しようとする課題】
【０００３】  賃貸住宅の表札や一般家庭または企業の表札は夜間暗く、遠方からでは文字の認識が難しかった。世帯主が変更の場合は表札自体を変更する必要があり、経済的ではなかった。又、シンプルで個性のないものが多く企業アピールが弱かった。これら前述の欠点を解決するものである。
【課題を解決するための手段】
【０００４】  本考案は、表札の文字部分に発光ダイオードを使用し、パソコンで任意に編集作成した文字部分を転送し、文字部分を点灯、又は点滅、又は文字を左右にスライドさせる事により問題を解決している。
【考案の効果】
【０００５】  昼夜問わずに個人名や企業名を宣伝することが可能であり、来客者に強い印象を与え、個人や企業イメージを向上させることで宣伝効果が得られる。また夜間、文字部分を発光させる事で見やすくなっている。
【考案を実施するための最良の形態】
【０００６】  一般家庭の玄関や、企業玄関、飲食店簡易看板として目立つ場所に設置する。
【実施例】
【０００７】  以下、添付図面に従って一実施例を説明する。１及び２は電気部品である発光ダイオードの集合体、３は製作した半田付け基盤、これらを９のネジで４の防水性筐体に固定する。５は一般家庭で使用されるＡＣ１００Ｖ電源をＤＣ直流電圧に変換するものを使用する。７はパソコンにて任意に作成した文字データを、点灯させたり点滅させたり、左右にスライドさせることも可能である。６の転送ケーブルにて必要な時に接続し送信するが一度送信した後は取り外して構わない、８は文字編集データ受信及び、発光ダイオード点灯用のロジックＩＣである。この発光ダイオード表札は縦、横、両方で使用可能である。
【産業上の利用可能性】
【０００８】  一般家庭や企業の表札、工場、飲食店の簡易看板、７のパソコンで文字編集により社用車や緊急車などへの搭載も可能であり可能性は広がる。
【図面の簡単な説明】
【０００９】
【図１】本考案の発光ダイオード表札の一実施例を示す正面図である。
【図２】本発光ダイオード表札の切断断面図に外部接続機器を付け加えた図面である。
【符号の説明】
【００１０】１．消灯している発光ダイオード
２．点灯している発光ダイオード
３．製作基盤
４．防水性筐体
５．ＡＣ１００Ｖ電圧をＤＣ直流電圧に変換する部品
６．転送ケーブル
７．パソコン
８．ロジックＩＣ
９．ネジ
【図１】
0003113799.tif 000003
【図２】
0003113799.tif 000004
(57)【要約】      （修正有）【課題】どのタイプの水道管にも適応して、簡単に取り付けられ、磁気活水装置を保護して盗難防止用の鍵がかけられて、かつ取り外しも簡単にする。【解決手段】磁気活水装置（１）を保護する箱（３）の中に押しバネ（４）を入れて固定させ、（３）の箱の中にスライドするスカート枠（５）を入れて、自然に下へ落とし、保護部分を多くして、（３）の箱の左右どちらにも取り付けられるＬ字板（６）を取り付けて、板（７）を水道管（２）の下からあてがって、ネジ（９）と鍵（１０）をかけるようにした。水道管バルブ箇所は、アダプター（８）をＬ字板（６）のかわりにクロスさせて取り付けて、スカート枠（３）をコの字の針金（１１）で吊り、鍵（１０）をかけるようにした。【選択図】図１
0003113795.tif 000002
【実用新案登録請求の範囲】
【請求項１】
（イ）磁気活水装置（１）を水道管（２）の外部に取り付ける際、全体を覆う箱（３）と全ての水道管の大きさに固定する為に対応した押しバネ（４）を利用し、（３）の箱の中でスライドして外へ出て、磁気活水装置を極力保護するスカート枠（５）と、左右どちらにも取り付けられるＬ字板（６）及び、水道管の下から板（７）を通して、（６）のＬ字板とクロスさせてネジ（９）と鍵（１０）をかける。
（ロ）水道管バルブがある箇所は、それに対応した取り付けアダプター（８）を横からはめ込み、（７）の板とクロスさせて、スカート枠（５）をコの字の針金（１１）で吊り、鍵（１０）をかける。
以上のごとく構成された、磁気活水装置取り付け保護器具。
【考案の詳細な説明】
【技術分野】
【０００１】  この考案は、磁気活水装置の取り付け保護器具である。
【背景技術】
【０００２】  従来の磁気活水装置の取り付け器具は、取り付けるのに面倒なネジ式で単なる取り付けるものだけで、磁気活水装置の保護する部分もなく、盗難用の鍵も不備であった。
【考案の開示】
【考案が解決しようとする課題】
【０００３】  この考案は、どの大きさの水道管にも対応できるようにして、かつ保護する部分を多く取り、取り付け方法を簡単にして、鍵をかけることにより、盗難を防止させるように、開発しようとするものである。
【課題を解決するための手段】
【０００４】  いまこれを、図面にて説明すれば、
（イ）磁気活水装置（１）を、箱（３）で覆い、その中に押しバネ（４）を利用して固定させて、（３）の箱の中にスライドするスカート枠（５）を入れて、重力を利用して自然に落として保護する。
（ロ）（３）の箱の左右どちらにも、つけられるＬ字板（６）を取り付けて、水道管（２）の下から板（７）を通して、（６）のＬ字板とクロスさせて、ネジ（９）と鍵（１０）をかける。
（ハ）取り付ける場所が、水道管バルブ下の場合は、取り付けアダプター（８）を横から（３）の箱に通して、（７）の板とクロスさせて、鍵（１０）をかけ、コの字の針金（１１）で、（５）のスカート枠を吊り、全体を覆う。
【考案の効果】
【０００５】  本発明により、どのような水道管にも、押しバネにより固定させて保護でき、簡単に取り付けられ、鍵をかけることができ、盗難防止にもつながった。また、逆にいつでも取り外すことが可能である。
【考案を実施する為の最良の形態】
【０００６】  以下、本案の実施の形態について説明する。
磁気活水装置（１）を覆う箱（３）を設ける。水道管（２）の太さが違う為、その（３）の箱の中に、全ての水道管に対応させる押しバネ（４）を利用して固定させる。（３）の箱の中でスライドするスカート枠（５）を入れて、重力を利用して自然に落として磁器活水装置（１）を覆う工夫をした。（３）の箱の左右どちらもピタリと合わさるＬ字板（６）を取り付け、（３）の箱の下には左右それぞれ２ケ所穴をあけ、水道管（２）の大きさに対応する為（４）の押しバネと連動して一番良い箇所に板（７）をクロスさせて、ネジ（９）と鍵（１０）をかける。従来の面倒なネジ式のみは不要になり、安定して取り付けることができ、かつ盗難防止となる。なお、水道管バルブ下に装着する場合は、板（６）のかわりに取り付けアダプター（８）を取り付け、（７）の板とクロスさせて鍵をかける。その際スカート枠（５）は、コの字の針金（１１）で吊り、磁気活水装置（１）を覆う。
【図面の簡単な説明】
【０００７】
【図１】本考案の斜視図である。
【図２】本考案の部品である。
【図３】本考案の正面図である。
【図４】本考案の使用状態をあらわした図である。
【符号の説明】
【０００８】  １    磁気活水装置
２    水道管
３    箱
４    押しバネ
５    スカート枠
６    Ｌ字板
７    板
８    取り付けアダプター
９    ネジ
１０  鍵
１１  コの字の針金
【図１】
0003113795.tif 000003
【図２】
0003113795.tif 000004
【図３】
0003113795.tif 000005
【図４】
0003113795.tif 000006
(57)【要約】      （修正有）【課題】鉗子ハンドルと鉗子ジョーとの間に間隙部を設けて臓器を縫合する際に他の臓器が邪魔にならないようにした巾着縫合用鉗子を提供する。【解決手段】上下鉗子ハンドル１，２の右端下面の接着部３，４と上下鉗子ジョー５，６の突起部７，８をレーザー溶接することによって間隙部９を設けたことを特徴とする。【選択図】図１
0003113798.tif 000002
【実用新案登録請求の範囲】
【請求項１】
巾着縫合用鉗子の上部鉗子ハンドル１、下部鉗子ハンドル２の先端下面の接着部３，４と上部鉗子ジョー５、下部鉗子ジョー６の一端に設けた突起部７，８を接合することによって間隙部９を設けたことを特徴とする巾着縫合用鉗子。
【考案の詳細な説明】
【技術分野】
【０００１】本考案は巾着縫合用鉗子の鉗子ハンドルに、突起部を設けた鉗子ジョーを取り付けて間隙部を設けた巾着縫合用鉗子である。
【背景技術】
【０００２】食道、大腸等の腹腔鏡下手術において巾着縫合用鉗子には、鉗子ハンドルの先端がジョーの中間に接合された巾着縫合用鉗子や、図２のように鉗子ジョーの先端が鉗子ハンドルの先端に組み合わせ接合された巾着縫合用鉗子があった。
【考案の開示】
【考案が解決しようとする課題】
【０００３】これには次のような欠点があった。
（イ）鉗子ジョーの端面に他の臓器が接触するので針先が臓器を刺してしまう。
（ロ）鉗子ジョーから針を抜く時他の臓器が妨げとなる。
（ハ）他の臓器に針先が隠れるので探すため臓器を他の鉗子で動かすので臓器を傷つける。
本考案は以上の欠点を解決するために考案されたものである。
【課題を解決するための手段】
【０００４】上、下鉗子ハンドル１，２の先端下面に接着部３，４を設け、そして鉗子ジョー５，６の一端に突起部７，８をそれぞれ設けレーザー接合し間隙部９を設けた巾着縫合用鉗子である。
【考案の効果】
【０００５】本考案を使用することによって
（イ）鉗子ハンドルの３，４と鉗子ジョーの突起部７，８によって間隙部９ができるので鉗子ジョーの端面に直接他の臓器が接触しない。
（ロ）間隙部９があるので針先が良く見えるため針先を探したりすることがないので接触した臓器を鉗子で動かしたりしないので臓器を傷つけない。
【考案の実施するための最良の形態】
【０００６】（イ）鉗子ハンドル１，２の材料はステンレスとし、その右端下面部３，４は正確な平面に仕上げる。
（ロ）鉗子ジョー５，６の材料もステンレスで、突起部７，８の先端を正確な直角度に仕上げる。
（ハ）上、下鉗子ハンドル１，２の右端下面の接着部３，４と上、下鉗子ジョー５，６の突起部７，８をそれぞれレーザー溶接する。
本考案は以上の構成よりなっている。
【実施例】
【０００７】以下、添付図に従って一実施例を説明する。
（イ）溶接した鉗子ハンドル１，２をピン１０でカシメる。
（ロ）鉗子ハンドル１，２の所定の位置にスプリング１１とラチェットレバー１２，１３を設ける。
（ハ）図３は消化管の巾着縫合用鉗子による巾着縫合の図である。
（ニ）巾着縫合用鉗子の上下鉗子ジョーを開き消化管１７の巾着縫合部位に垂直にかける。
（ホ）巾着縫合用鉗子のラチェットレバーを腸管の厚さによってクランプする。
（ヘ）縫合後巾着縫合用鉗子を外す。
本考案の一実施例は上述のとおりである。
【図面の簡単な説明】
【０００８】
【図１】      本考案の説明図
【図２】      既存鉗子の説明図
【図３】      本考案の使用状態を示す斜視図
【符号の説明】
１    上部鉗子ハンドル
２    下部鉗子ハンドル
３    上部鉗子ハンドルの接着部
４    下部鉗子ハンドルの接着部
５    上部鉗子ジョ−
６    下部鉗子ジョ−
７    上部鉗子ジョ−の突起部
８    下部鉗子ジョ−の突起部
９    間隙部
１０  結合ピン
１１  スプリング
１２  上部ラチェットレバ−
１３  下部ラチェットレバ−
１４  既存鉗子レバ−
１５  既存鉗子ジョ−
１６  糸
１７  針
１８  消化管
１９  他の臓器
【図１】
0003113798.tif 000003
【図２】
0003113798.tif 000004
【図３】
0003113798.tif 000005
(57)【要約】      （修正有）【課題】スイミングプールにおいて長距離を泳ぐ泳者がターン回数を把握・管理しながら水泳を行うためにターンの際に単純な操作で使用できる計数計を提供する。【解決手段】数字を一つずつ進めて離散的に回転できるようにした数字円盤１をロッカーキーの腕輪に固定して用いるようにする。【選択図】図１
0003113792.tif 000002
【実用新案登録請求の範囲】
【請求項１】
スイミングプールにおける往復回数記録のために使用する、ロッカーキー腕輪を通して保持される円形数字盤によるカウンター
【考案の詳細な説明】
【技術分野】
【０００１】  本考案はスイミングプールにおける水泳中に往復回数を逐次把握できるようにするための機械式カウンターに関する。
【背景技術】
【０００２】  手のひらに握って用いる機械式数字カウンター、電子カウンター付きの腕時計等が市販されている。
【考案の開示】
【考案が解決しようとする課題】
【０００３】  スイミングプールにおいて長距離を泳ぐ泳者がターン回数を把握・管理することは、記憶違いによる過度な体力消耗を避けるために重要であるが、２５ｍあるいは５０ｍの単調な泳ぎに対してプールサイドで一瞬にうちに行うターンの回数を正確に記憶するのは激しい運動を伴う水泳中にはかなりの努力を要する。この記録のため、ターンの際の容易な操作により行うことができ、かつ、遊泳中も記録の把握ができることが必要である。手のひらに握って操作する機械式カウンターはプールサイドに設置してターンの際にのみ記録を見ることになるが遊泳中の把握は不可能である。電子カウンター付きの腕時計は細かい指の操作が必要であるため、ターンという体の大きい運動に伴って操作するには不適切である。このような目的のために水中で使用できる簡便な計数計を考案する。
【課題を解決するための手段】
【０００４】  水泳者がターンする回数を記録できるように、数字を一つずつ進めることのできる数字円盤をロッカーキーの腕輪に保持できるようにする。
【考案の効果】
【０００５】  回転円盤の数字盤を工夫することにより、ターンの間にも容易に円盤を回すことができ、かつ、遊泳中も数字のチェックが可能とすることができる。また、単純で簡単な構造にすることが容易であり、腕輪につけても水泳運動の邪魔にはならず、安全性を十分に考慮した形態にできる。また、電子式腕時計などに比較してはるかに低価格で製品を供給できる見込みがある。
【考案を実施するための最良の形態】
【０００６】  水中でさびない素材を用い、かつ、誤って他の水泳者にぶつかってもけがをさせる恐れのない形態にするために、ロッカーキー腕輪の帯に通して保持できる大きさにするため、計数の最大値は１０あるいは２０程度とし一枚の数字円盤、ロッカーキー腕輪を通す四角穴をもつ保持体、離散的に回転するための押しばねの３つの部品で構成する。すべてプラスチック等で製造することが可能である。
【実施例】
【０００７】  数字盤１を保持しロッカーキー腕輪に装着する固定具２、および、数字盤の自由な回転を止めかつ指の力で回転できるための押しばね３からなる。数字盤１は中心軸を備えており、固定具２には断面を押し広げて装着する。図２における固定具２の下方の四角い穴にロッカーキーの腕輪を通して腕に巻き付ける。固定具２には図１に示すように数字を読むための小窓がある。押しばね３は固定具２に接着して固定される。素材はすべて適切なプラスチック材或いはそれに相当する材料とする。
【産業上の利用可能性】
【０００８】  今後団塊の世代が大量に退職する時代を迎えるが、彼らがスポーツジムに通ったりスイミングプールで適切に体を動かして健康増進に努めることは健康保険財政の観点からも重要でかつ労働者確保の観点からも重要である。そのような中で適切な運動管理の補助具として低価格の安全な計数計の提供が待ち望まれる。
【図面の簡単な説明】
【０００９】
【図１】  本考案の実施例を示した平面図である・
【図２】  本考案の実施例を示した側面図である。
【符号の説明】
１  数字盤
２  固定具
３  押しばね
【図１】
0003113792.tif 000003
【図２】
0003113792.tif 000004
(57)【要約】      （修正有）【課題】携帯性を重視し、コンパクトで手軽に持ち運べ、自重自力を使い、思いのままに利用できることを目的とする、利便性と生産性の向上を計った携帯型指圧器を提供する。【解決手段】頂点部の複数の穴１は、押圧部位のすべり止めと叩いた時の衝撃を和らげるため。２の均等なすじは、手で持つ時と足の指をはさみ込んだ時のすべり止めとする。３の突起は、押圧時の重量を支えるための補強とする。台部４、５、６、７、の大きさの異なる垂直な側面は、持ち易さを計ると共に二個を組み替えて利用する時、頂点と頂点との幅を十通り細かく得られることで、個人差のある押圧部位への利用度を高められる。また台部垂直面上部四ヶ所の四通りの突起８は、土踏まずを押圧するためと、二個で利用するとき、大きさの異なる４、５、６、７の垂直面を手の感触でたやすく組み替えることがができる。【選択図】図１
0003113800.tif 000002
【実用新案登録請求の範囲】
【請求項１】
台部の内側が空洞の半球体で、その頂点に小さな空洞の半球体を重ねた形の突起が設けられており、山形であることを特徴とする携帯型指圧器。
【請求項２】
台部頂点の突起部にすべり止め防止を計る穴やすじや補強用の突起を、形成していることを特徴とする請求項１記載の携帯型指圧器。
【請求項３】
本考案の携帯型指圧器二個を組み合わせて利用するとき、頂点と頂点との幅を細かく十通り得るために、台部側面の均等な位置に、大きさの異なる四っつの切り込んだ面を、接地面と垂直に形成することを特徴とする請求項１〜２、記載の携帯型指圧器。
【請求項４】
前記台部の大きさが異なる四っつの垂直面を組み合わせて利用するとき、合わせ面のずれ防止を計る突起と穴を、四っつの垂直面に均等に形成していることを特徴とする請求項１〜３、記載の携帯型指圧器。
【請求項５】
前記台部の大きさが異なる四っつの垂直面上部位置に、土踏まず部位押圧用と手の感触で垂直面どうしの組み替えを可能にするため、それぞれに四通りの突起を形成することを特徴とする請求項１〜４、記載の携帯型指圧器。
【請求項６】
合成樹脂を素材とし、重ねてコンパクトに持ち運べ重量を支える強度と軽さ、形成のし易さを図り、一個の金型で全てを作りだすことを特徴とする請求項１〜５、記載の携帯型指圧器。
【考案の詳細な説明】
【技術分野】
【０００１】  本考案は、コンパクトで手軽に持ち運べ、思いのままに利用することにより、身体の疲労を感じた部位をすばやく和ませてくれるための携帯性を重視した携帯型指圧器に関する。
【背景技術】
【０００２】  携帯性と使い易さを訴えた考案の携帯型指圧器は様々ありますが、一般的に重厚な板上に突起を設けた形の頂点部に、疲労感のある部位を乗せたり押圧したりして利用する携帯型指圧器が大勢をしめている、しかし手軽に持ち運べて利便性がある携帯型指圧器の数が少ない。
【考案の開示】
【考案が解決しようとする課題】
【０００３】  携帯性を重視し、コンパクトで手軽に持ち運べ、自重自力を使い、思いのままに使用できることを目的とする、利便性と生産性の向上を計った携帯型指圧器を提供する。
【課題を解決するための手段】
【０００４】  本考案に係る携帯型指圧器は、台部の内側が空洞の半球体で、その頂点に小さな空洞の半球体を重ねた形の突起が設けられており、山形であることを第一の要旨とする。【０００５】  本考案に係る携帯型指圧器は、頂点部に叩く時の衝撃を和らげるためとすべり止めを計る複数の穴や均等なすじ、重量を支えるための補強を計る突起を形成することもできる。【０００６】  本考案に係る携帯型指圧器は、二個一対で利用することで利便性を増すことができる、台部の大きさが異なる垂直面と垂直面との組み合わせ方を替えることにより、頂点と頂点との幅を細かく調整するための形成もできる。【０００７】  更に本考案に係る携帯型指圧器は、二個組み合わせて利用する時、大きさの異なる四っつの台部垂直面にずれとすべり止め防止のための突起と穴を均等に形成することもできる。【０００８】  続いて本考案に係る携帯型指圧器は、台部垂直面上面部に設けた四通りの突起を、土踏まず部位の押圧用と、二個使用時に手の感触で垂直面部の組み替えが可能になる形成もできる。【０００９】  読いてまた本考案に係る携帯型指圧器は、合成樹脂を素材とし、一個の金型で全てを形成することもできる。
【考案の効果】
【００１０】  本考案に係る携帯型指圧器によれば、軽量コンパクトで、構造が簡単で持ち運び易く、手に持ち、叩き、こすり、押し、床に置き、頭部、首筋、腰、下肢、足裏の部位を乗せ、二個一対で利用することにより疲労感や緊張感がある部位をすばやく和らげることができる。
【考案を実施するための最良の形態】
【００１１】  本考案の実施の形態について図を用いて説明する。図１は本考案の携帯型指圧器の平面図であり、図２は本考案の携帯型指圧器の正面図である。図１が示すように台部四っつの垂直な側面にはそれぞれ突起８と穴９が設けられている。また台部四っつの垂直面上面部には突起８を四通りの形ちにして設け、頂点部四側面には突起３と均等なすじ２、及び頂点に複数の穴１を設けてあります。最良の形態は、大きさが異なる切り込んだ台部垂直面４、５、６、７を設けたことであり、二個を組み替えて利用することにより得られる考案である。
【実施例】
【００１２】  図１で示してある頂点部複数の穴１は、叩いた時の衝撃を和らげるためとすべり止め、２の均等なすじはすべり止めであり、頂点部側面部３の突起は重量に耐える支えである。台部の垂直な側面４、５、６、７は、切り込み面の大きさを異にすることで、二個組み合わせて使用するときに得られる頂点間の十通りの幅は、利用度を増すため、台部垂直面上面部の四通りの突起８は足の押圧用と手の感触で４、５、６、７面の組み替えがたやすく得られるためであり、４、５、６、７面の突起８と穴９は、それぞれの面どうしを組み合わせる時におきるずれ防止と、すべり止を計るためである。
【産業上の利用可能性】
【００１３】  本考案の携帯型指圧器は、軽量コンパクトを図った事により利便性に優れ、一個の金型で全てを作ることが出来るため、生産性を増す事で、コストの低減が計れ利用性を高めることができる。
【図面の簡単な説明】
【００１４】
【図１】  本考案の示した平面図である。
【図２】  本考案の示した正面図である。
【符号の説明】
【００１５】１  頂点部の穴。
２  頂点部の均等なすじ。
３  頂点部側面の突起。
４  ５  ６  ７は、台部接地面と垂直な大きさが異なる垂直面。
８  台部垂直面上面部の四通りの突起と、台部垂直面の突起。
９  台部垂直面の穴。
【図１】
0003113800.tif 000003
【図２】
0003113800.tif 000004
(57)【要約】      （修正有）【課題】簡単にして強固に組付けられるキャップ付屋根板装置を提供する。【解決方法】先ず屋根板材１の他端の水平部４Ａをモヤ材１２にビス１３で固定する。そして次の屋根板材１の一端に形成の多角形のキャップ３を、屋根板材１の他端に形成の嵌合部１０に嵌合させると共に、屋根板材１の曲成部２と係止部６が係合し、且つキャップ３の直立部３Ａは嵌合部１０の直立部７と、キャップ３の傾斜部は嵌合部の傾斜部８と、キャップ上方の内面には嵌合部の上方に設けられた円弧状部９が夫々当設係合させて成る。斯くしてキャップ３と嵌合部１０が有機的に作用し水返し機能することで内部への風雨の侵入を確実に防止でき、しかもキャップは多角形に形成されたことで強度性に優れ風雪にもよく耐えられる。【選択図】図２
0003113787.tif 000002
【実用新案登録請求の範囲】
【請求項１】
屋根板材１の一端に曲成部２と直立部３Ａより成る多角形のキャップ３を他端に傾斜部４と水平部４Ａと係止部６・直立部７・傾斜部８とより成る嵌合部１０を夫々形成し、これらキャップと嵌合部を嵌合当接させて成るキャップ付屋根板装置。
【考案の詳細な説明】
【技術分野】
【０００１】  本考案は、簡単にして強固に係合組付けられるキャップ付き屋根板装置である。
【背景技術】
【０００２】  従来よりの屋根板装置は、構造的に複雑であり、したがって組付け作業も専門家でないと出来ないため、コストも高くなる等の不利がある。
【考案の開示】
【考案が解決しようとする課題】
【０００３】  本考案は、簡単な構成で容易に組付けられることができる。
【課題を解決するための手段】
【０００４】  本考案は、屋根板材の両端に屈曲形成した係合部を配設したことにより、従来の欠点を解決するものである。
【考案の効果】
【０００５】  本考案は、屋根板材の両端に屈曲形成した係合部を利用することによって、格別の工具類を用いることなく、屋根板材同士を手作業で強固に係合することができ、したがって作業に際し特別の技術を要しないため、作業効率が高くしてコストも安くなり、しかもキャップを多角形にしたことで強度性に優れ風雪にもよく耐えられる等、多くの利点を有する。
【実施例】
【０００６】  本考案の実施例を図面で説明すると、図１は曲成加工された屋根板材１であって、その一端には内方への曲成部２と、直立部３Ａより成る多角形のキャップ３が形成されている。【０００７】  また屋根板材１の他端には、上方への傾斜部４と水平部４Ａと突起部５と、コ字状の係止部６と直立部７と傾斜部８と円弧状部９とより成る嵌合部１０が形成されている。【０００８】  前記した屋根板材１の一端と他端間には、複数のリブ１１が形成されている。【０００９】  図２は屋根板材１同士の組付け関係を示すもので、先ず屋根板材１の他端の水平部４Ａをモヤ材１２にビス１３で固定する。
そして次の屋根板材１の一端に形成の多角形のキャップ３を、屋根板材１の他端に形成の嵌合部１０に嵌合させると共に、屋根板材１の曲成部２と係止部６が係合し、且つキャップ３の直立部３Ａは嵌合部１０の直立部７と、キャップ３の傾斜部は嵌合部の傾斜部８と、キャップ上方の内面には嵌合部の上方に設けられた円弧状部９が夫々当設係合させて成る。
斯くしてキャップ３と嵌合部１０が有機的に作用し水返し機能することで内部への風雨の侵入を確実に防止でき、しかもキャップは多角形に形成されたことで強度性に優れ風雪にもよく耐えられる。
【図面の簡単な説明】
【００１０】
【図１】  本考案キャップ付き屋根板装置の屋根板材の側面図である。
【図２】  本考案キャップ付き屋根装置の組付関係を示す側面図である。
【符号の説明】
【００１１】      １            屋根板材
２            曲成部
３Ａ，７      直立部
３            キャップ
４，８        傾斜部
４Ａ          水平部
６            係止部
１０          嵌合部
【図１】
0003113787.tif 000003
【図２】
0003113787.tif 000004
(57)【要約】      （修正有）【課題】従来バンダナは、四角形の形をしており、その形状のままで、頭や首に巻いたり、物を包み、四隅又は二つの端を引っ張り、結ぶ解くを行っている。しかし、巻いたり、包む部分と結ぶ解く部分が同じ四角形の形状の中で行われており、その作業は、容易にできない場合が多い。【解決手段】バンダナの四隅を曲線状に延ばすことにより、四隅を引っ張った場合に力を２つの方向に分散することができる。２つの方向とは、直線状の方向と、曲線状の方向である。その為、平面状の中に巻く包む部分と結ぶ解く部分が作り出され、それぞれの作業を容易に行うことができる。【選択図】図１
0003113783.tif 000002
【実用新案登録請求の範囲】
【請求項１】
通常四角形のバンダナの四隅を延長することにより、巻く、包む、結ぶ、解くを容易に行うことができることを特徴とするバンダナ。
【請求項２】
通常四角形のバンダナの四隅を曲線状に延長することにより、巻く、包む、結ぶ、解くを容易に行うことができることを特徴とする請求項１記載のバンダナ。
【考案の詳細な説明】
【技術分野】
【０００１】  本考案は、四隅を曲線状に延長することにより、巻く、包む、結ぶ、解くを容易に行うことができる、バンダナに関するものである。
【背景技術】
【０００２】  従来バンダナは、四角形の形をしており、その形状のままで、頭や首に巻いたり、物を包み、四隅又は二つの端を引っ張り、結ぶ解くを行っている。【０００３】  しかし、巻いたり、包む部分と結ぶ解く部分が同じ四角形の形状の中で行われており、その作業は、容易にできない場合が多い。
【考案の開示】
【考案が解決しようとする課題】
【０００４】  上述の如く従来のバンダナは四角形の形状の中に、巻く包む部分と結ぶ解く部分が一体化されているために、その作業は、容易にできない場合が多い。【０００５】  解決しようとする問題点は、バンダナを巻く、包む、結ぶ、解くの作業を容易にできるようにすることである。
【課題を解決するための手段】
【０００６】  上述の目的を達成するためにバンダナの四隅を曲線状に延ばすことにより、四隅を引っ張った場合に力を２つの方向に分散することができる。２つの方向とは、直線状の方向と、曲線状の方向である。その為、平面状の中に巻く包む部分と結ぶ解く部分が作り出され、それぞれの作業を容易に行うことができる機能を有することを特徴とする。
【考案の効果】
【０００７】  以上説明したように本考案によれば、従来の四角形のバンダナの四隅を曲線状に延ばすことにより、四角形の部分では物をしっかりと巻いたり包むことができ、四隅に曲線状に延びた部分では容易に結ぶ解くの作業を可能にすることができる。
【考案を実施するための最良の形態】
【０００８】  以下、本考案の実施の形態を図面に基づき説明する。【０００９】  図１の２の点線内の四角形の部分で物を巻いたり、包み、曲線状に延びた３．４．５．６の部分では結ぶ、解くの作業を行う。
【図面の簡単な説明】
【００１０】
【図１】本考案の四隅を曲線状に延ばしたバンダナを示す平面図である。
【符号の説明】
【００１１】１  バンダナ本体
２  物を巻く包む部分
３  結ぶ解く部分
４  結ぶ解く部分
５  結ぶ解く部分
６  結ぶ解く部分
【図１】
0003113783.tif 000003
(57)【要約】【課題】従来の布製の半襟はほとんど熟練の手を要した縫い付け方法しかなく、長襦袢と半襟の装着を半襟と襟芯とを粘着テープで合体する事によって短時間で解決し、使い捨てとして低価格で提供する。【解決手段】装着が容易で、着用時の型崩れ並びに縦シワの発生を防止する目的で、襟芯を半襟に固定し一体化する事によって同時装着できるように開発し、また、低価格の素材・不織布を使ったことによって、使い捨て感覚の新規な構造の使い捨て半襟を開発したものである。使い捨て半襟と襦袢の装着については、粘着テープを和服の襟に圧着して使用することで、半襟を取り付ける為の格別の熟練を要しない簡単な作業で済ませることが出来る。【選択図】図１
0003113785.tif 000002
【実用新案登録請求の範囲】
【請求項１】
帯状の不織布の長手方向の上側縁の表面と下側縁の裏面に各々粘着テープを取り付け、前記表面側の粘着テープと同一面側で且つ下側縁部分に、不織布の短手方向の約半分の幅を有する襟芯を中心より下側縁に向って取り付け、不織布の長手方向の中央部分から襟芯が内側になるように二つ折りして和服に使用するよう構成したことを特徴とする使い捨て半襟。
【考案の詳細な説明】
【技術分野】
【０００１】吸水性・抗菌などに優れている不織布を使用し、襟芯とのセットすることにより、簡易性・利便性・低価格に富んだ使い捨て半襟となる。使用方法は縫い付け方法ではなく、粘着テープを使用することにより、縫い付けの手間が省ける。また、取り外しをしやすくする為に、四隅に取り外し用の突片を付けた。
【背景技術】
【０００２】従来の和服用の半襟は、全て布製のものであってほとんどが縫い付け方法しかないものであった。【０００３】従来の半襟は布製であり、襟芯と別々の購入及び装着方法しかなく、比較的高価なものである。【０００４】布製の半襟は、洗濯を行っての再度使用は可能であるが、取り外しの手間・縫い付けの手間・洗濯の繰り返し及び保管状況によっての変色などがあり、無理があった。【０００５】着付け教室・レンタル着物・冠婚葬祭などの着物着付けなどにおいて、従来のものより低価格で利便性のあるものが望まれていた。
【考案の開示】
【０００６】以上に述べた従来の布製の半襟では、襦袢と半襟との縫い合わせの手間・使用後の洗濯の手間・縫い付けの手間などがかかり、急な仕度に手間取ることもあり、購入の販売店なども限られていて、気を配ることも多かった。
【考案が解決しようとする課題】
【０００７】本実用新案は、このような従来の和服の着付けの手間と不便さを解決しようとするものであり、安価な使い捨て半襟によって和服の着やすさの補助及び、旅行などにも予備として携帯出来ることを目的とするものである。また、着物着付け教室や普段着物を制服としてる企業及び、若年層などに幅広く和服の普及を目的とする。
【課題を解決するための手段】
【０００８】不織布を利用することにより、吸水性・強度性などに優れた素材であり、従来の布製と比べて安価であり使い捨てとして活用出来るものである。
【０００９】従来の半襟については、縫い付け・取り外し・洗濯・再度縫い付けの手間がかかったものを、粘着テープを使用し半襟を貼り付けることによって、時間のわずらわしさを短時間で解決したものである。
【００１０】従来の半襟については、襟芯が必要でありそれぞれに別購入の手間がかかったが、本実用新案の使い捨て襟芯においては、半襟と襟芯を合体したもので、別々の購入の手間や買い忘れなどの防止にも役立つものである。
【００１１】本実用新案の使い捨て半襟においては、襦袢と半襟の接着部分を剥がしやすくする為に、使い捨て半襟の四隅に取り外し用の突片を考案し、襦袢と使い捨て半襟の取り外しも簡易にしたものである。
【００１２】本実用新案の使い捨て半襟においては、素材が不織布の為、より高級感を出す為にカラーの不織布やプリント及び手描きなども可能なものである。
【考案の効果】
【考案を実施するための最良の形態】
【００１３】吸水性と吸汗性及び強度に優れた不織布を活用する事によって、低価格の使い捨て半襟を可能にした。【００１４】襦袢との装着方法も粘着テープを使うことによって、従来の縫い付けとは異なり簡易に装着が出来るようになり、襟芯を不織布に固定することによって、別々の装着の手間を省く使い捨て半襟とした。【００１５】この使い捨て半襟は、襦袢に装着した半襟をはがす時にも、四隅に取り外し用の突片をつけることによって、四方どこからでもスムーズに剥がせられるものである。【００１６】使い捨て半襟の素材として、長手方向約１、０００ｍｍ短手方向約１１０ｍｍの不織布１を使用する。不織布の加工としては、上記長方形の四隅に取り外しを簡略にする為の約１５ｍｍ角の突片を裁断加工し、切込みを入れた部分を内側に粘着テープにて固定し突片を作成し、４の図状態のままで突片は出したままの状態とする。【００１７】樹脂製か紙製の襟芯２を約３０ｍｍ×約６００ｍｍにカットし、半分に折り曲げることを考慮して、表面側の短手方向の約半分位の位置の表面側に長手方向に向って不織布に粘着テープを取り付ける。【００１８】図１のように、長手方向の上側縁の表面側と下側縁の裏面側に、約５〜７ｍｍ×約８００ｍｍの粘着テープ３を貼り付ける。【００１９】使用方法として、半襟を取り付けた表面側を図２のように中心から内側に折り込んで、再度下側縁の裏面側の粘着テープを折り込んで、粘着テープの紙を剥離して襦袢などに装着する。また襟の上側縁の表面側の粘着テープの紙も同様に、剥離し装着する。【００２０】図３の装着図のように、使い捨て半襟１を、襦袢などに裏面側が外側になるように装着して使用する。襟の部分に置いては、表面側の襟芯２が内側になるように着付けを行う。粘着テープで取り付けた状態３で襦袢などに取り付け、使用後の剥がし易さを考慮し４の突片を出しておくと使用後の使い捨て半襟の取り外しが簡素になり、半襟の突片は着付け時に着物の内側に隠れてしまうので、着崩れを起こす事はない。
【産業上の利用可能性】
【００２１】着物着付け教室・レンタル着物店・業務用で着物を必要とする営業店・普段の急な着付け（冠婚葬祭など）・年に数度しか必要でない着付け時及び、若年層へ幅広く着物の普及・浸透を目的とし、格別の熟練を要しない作業で簡単で取り付けの装着可能なものである。
【図面の簡単な説明】
【００２２】
【図１】本考案  使い捨て半襟の使用前の展開図
【図２】図１の使い捨て半襟を、表方向の中央部から二つ折りした斜視図
【図３】本考案  使い捨て半襟を和服に装着した説明図
【符号の説明】
【００２３】１  不織布
２  襟芯
３  粘着テープ
４  突片
【図１】
0003113785.tif 000003
【図２】
0003113785.tif 000004
【図３】
0003113785.tif 000005